(57)【要約】【課題】封用蓋片の幅が広くなることによって処理効率を低下させることなく再度の使用を可能とする。【解決手段】３つの紙片部１０，２０，３０が重ね合わされて構成され、往信時に用いられるフラップ部５０と返信時に用いられるフラップ部１２とが、紙片部１０の互いに異なる辺に設けられ、紙片部１０が、紙片部２０の返信先情報２１が表出するようにフラップ部１２を残して切り離し可能に構成される。【選択図】図１
2011063282.tif 000002
【特許請求の範囲】
【請求項１】
第１、第２及び第３の紙片部が重ね合わされて構成される封筒であって、
前記第１の紙片部に連接した第１の封用蓋片が前記第１の紙片部に対して折り畳まれて前記第３の紙片部に貼着されることによって第１の開封／封緘部が構成され、
前記第１の紙片部は、前記第１の封用蓋片が連接した辺とは異なる辺に前記第３の紙片部に連接した第２の封用蓋片を有し、前記第２の紙片部の少なくとも一部が表出するように前記第２の封用蓋片を残して切り離し可能に構成され、
前記第２の封用蓋片が前記第３の紙片部に対して折り畳まれて前記第２の紙片部に貼着されることによって第２の開封／封緘部が構成され、
前記第１の紙片部と前記第３の紙片部との間に前記第１の開封／封緘部を封入口とした第１の封入部が形成され、
前記第２の紙片部と前記第３の紙片部との間に前記第２の開封／封緘部を封入口とした第２の封入部が形成されている封筒。
【発明の詳細な説明】
【技術分野】
【０００１】
本発明は、封入物を封入可能に構成された封筒に関し、特に、複数回の使用を可能とする技術に関する。
【背景技術】
【０００２】
従来より、印刷物等の書類や手紙等を送付する場合に、この書類や手紙等を封入する封筒が用いられている。このような封筒は、２枚のシートによって袋形状の封筒本体が構成されるとともに、２枚のシートのうち一方のシートに連接した封用蓋片を有し、袋形状の封筒本体に、上述したような書類や手紙等の封入物が封入された後、封用蓋片が折り畳まれて封緘されることになる。
【０００３】
近年、このように書類や手紙等を封入、封緘する封筒において、往信用のみならず返信用にも使用するといったように複数回使用することができる封筒が考えられている。例えば、封用蓋片にジッパー部、並びに粘着剤が塗布されてなる２つの封緘部を設けておき、往信時には、２つの封緘部のうち一方の封緘部に剥離紙を貼着しておいて他方の封緘部を用いて封緘し、返信時には、往信時に用いた封緘部をジッパー部によって封用蓋片から切り離するとともに、封緘部から剥離紙を剥離し、この封緘部によって封緘する封筒が特許文献１に開示されている。
【０００４】
このように、２つの封緘部を有しながらも往信時に２つの封緘部の一方に剥離紙を貼着しておくことにより、返信時において、利用者が自分で封筒に糊を塗布したり、再湿のりに水分を付着させたりすることなく、封筒を封緘することができる。
【０００５】
また、封用蓋片に往信用の宛先情報を印刷するとともに、封筒本体の封用蓋片に対向する領域に返信用の宛先情報を印刷しておき、返信時に封用蓋片を切り離して返信用の宛先情報を表出させることにより、往信及び返信を可能とする封筒が特許文献２に開示されている。
【０００６】
また、開封する際に、封筒を封緘するための封用蓋片を用いて開封するのではなく、封筒本体を構成する２枚のシートの一方を、このシートに形成された破線状切り込みを用いて破断することによって開封する封筒が特許文献３に開示されている。
【先行技術文献】
【特許文献】
【０００７】
【特許文献１】意匠登録第１３４４１２０号公報
【特許文献２】国際公開第２００３／０５５７５９号
【特許文献３】特開２００２−５９９４０号公報
【発明の概要】
【発明が解決しようとする課題】
【０００８】
しかしながら、上述したように封用蓋片に２つの封緘部を設けたものや、封用蓋片に宛先情報を印刷しておくものにおいては、封用蓋片に２つの封緘部を設ける必要があることや、封用蓋片に宛先情報を印刷しておく必要があることから、封用蓋片の幅が広くなり、それにより、封入物を自動で封入して封緘する場合等においてジャム等が発生しやすくなり、処理効率が低下してしまうという問題点がある。
【０００９】
また、上述したように、封筒本体を構成するシートに形成された破線状切り込みを用いて破断することによって開封する封筒においては、封筒を開封してしまうと封筒本体が袋形状を構成しなくなるため、この封筒を再度使用することができなくなってしまうという問題点がある。
【００１０】
本発明は、上述したような従来の技術が有する問題点に鑑みてなされたものであって、封用蓋片の幅が広くなることによって処理効率を低下させることなく再度の使用を可能とする封筒を提供することを目的とする。
【課題を解決するための手段】
【００１１】
上記目的を達成するために本発明は、
第１、第２及び第３の紙片部が重ね合わされて構成される封筒であって、
前記第１の紙片部に連接した第１の封用蓋片が前記第１の紙片部に対して折り畳まれて前記第３の紙片部に貼着されることによって第１の開封／封緘部が構成され、
前記第１の紙片部は、前記第１の封用蓋片が連接した辺とは異なる辺に前記第３の紙片部に連接した第２の封用蓋片を有し、前記第２の紙片部の少なくとも一部が表出するように前記第２の封用蓋片を残して切り離し可能に構成され、
前記第２の封用蓋片が前記第３の紙片部に対して折り畳まれて前記第２の紙片部に貼着されることによって第２の開封／封緘部が構成され、
前記第１の紙片部と前記第３の紙片部との間に前記第１の開封／封緘部を封入口とした第１の封入部が形成され、
前記第２の紙片部と前記第３の紙片部との間に前記第２の開封／封緘部を封入口とした第２の封入部が形成されている。
【００１２】
上記のように構成された本発明においては、例えば、往復封筒として用いる場合、往信時においては、第１の紙片部に連接した第１の封用蓋片を開いた状態で、この第１の封用蓋片と第３の紙片部とで構成される第１の開封／封緘部を封入口として、第１の紙片部と第３の紙片部との間に形成された第１の封入部に封入物を封入し、第１の封用蓋片を第１の紙片部に対して折り畳んで第３の紙片部に貼着することによって封筒を封緘する。そして、封緘された封筒を開封する場合は、第１の紙片部を、第２の紙片部の少なくとも一部が表出するように、第１の封用蓋片が連接した辺とは異なる辺に第３の紙片部に連接した第２の封用蓋片を残して切り離し、第１の封入部に封入された封入物を取り出す。その後、この封筒を用いて返信する場合は、第１の紙片部から切り離された第２の封用蓋片を開いた状態で、この第２の封用蓋片と第２の紙片部とで構成される第２の開封／封緘部を封入口として、第２の紙片部と第３の紙片部との間に形成された第２の封入部に封入物を封入し、第２の封用蓋片を第３の紙片部に対して折り畳んで第２の紙片部に貼着することによって封筒を封緘する。
【００１３】
このように、第１、第２及び第３の３つの紙片部を用い、往信時及び返信時にそれぞれ用いられる第１及び第２の封用蓋片を第１の紙片部の互いに異なる辺に設け、第１の紙片部が、第２の紙片部の少なくとも一部が表出するように第２の封用蓋片を残して切り離し可能に構成されていることにより、往信用の宛先情報を第１の紙片部を用いて表示し、返信用の宛先情報を第２の紙片部のうち第１の紙片部が切り離された場合に表出する領域に表示することで、封用蓋片の幅を広くすることなく、再度の使用が可能となる。
【発明の効果】
【００１４】
以上説明したように本発明においては、第１、第２及び第３の３つの紙片部が重ね合わされて構成され、往信時及び返信時にそれぞれ用いられる第１及び第２の封用蓋片が第１の紙片部の互いに異なる辺に設けられ、第１の紙片部が、第２の紙片部の少なくとも一部が表出するように第２の封用蓋片を残して切り離し可能に構成されているため、往信用の宛先情報を第１の紙片部を用いて表示し、返信用の宛先情報を第２の紙片部のうち第１の紙片部が切り離された場合に表出する領域に表示することにより、封用蓋片の幅が広くなることによって処理効率を低下させることなく再度の使用が可能となる。
【図面の簡単な説明】
【００１５】
【図１】本発明の封筒の第１の実施の形態を示す図であり、（ａ）は表面から見た図、（ｂ）は（ａ）に示したＡ―Ａ’断面図、（ｃ）は裏面から見た図、（ｄ）は（ａ）に示したＢ―Ｂ’断面図、（ｅ）は第２の紙片部の表面図、（ｆ）は第２の紙片部を除いた展開図である。
【図２】図１に示した封筒の往信時の使用方法を説明するための図であり、（ａ）は封筒に封入物が封入される状態を示す図、（ｂ）は（ａ）に示したＡ―Ａ’断面図、（ｃ）は封入物が封入された封筒が封緘された状態を示す図、（ｄ）は（ｃ）に示したＡ―Ａ’断面図である。
【図３】図１に示した封筒に封入された封入物の取り出し方法を説明するための図であり、（ａ）は紙片部を切り離していく状態を示す図、（ｂ）は（ａ）に示したＡ―Ａ’断面図、（ｃ）は２つの紙片部を見開いた状態を示す図、（ｄ）は（ｃ）に示したＡ―Ａ’断面図、（ｅ）は封入された封入物が取り出される状態を示す図、（ｆ）は（ｅ）に示したＡ―Ａ’断面図である。
【図４】図１に示した封筒の返信時の使用方法を説明するための図であり、（ａ）は封筒に封入物が封入される前の状態を示す図、（ｂ）は（ａ）に示したＡ―Ａ’断面図、（ｃ）は封筒に封入物が封入される状態を示す図、（ｄ）は（ｃ）に示したＡ―Ａ’断面図、（ｅ）は封入物が封入された封筒が封緘された状態を示す図、（ｆ）は（ｅ）に示したＡ―Ａ’断面図である。
【図５】図１に示した封筒に返信時に封入された封入物の取り出し方法を説明するための図であり、（ａ）は封入物が封入された封筒を示す図、（ｂ）は封入された封入物が取り出される状態を示す図である。
【図６】本発明の封筒の第２の実施の形態を示す図であり、（ａ）は表面から見た図、（ｂ）は（ａ）に示したＡ―Ａ’断面図、（ｃ）は裏面から見た図、（ｄ）は（ａ）に示したＢ―Ｂ’断面図、（ｅ）は第２の紙片部の表面図、（ｆ）は第２の紙片部を除いた展開図である。
【図７】図６に示した封筒の往信時の使用方法を説明するための図であり、（ａ）は封筒に封入物が封入される状態を示す図、（ｂ）は（ａ）に示したＡ―Ａ’断面図、（ｃ）は封入物が封入された封筒が封緘された状態を示す図、（ｄ）は（ｃ）に示したＡ―Ａ’断面図である。
【図８】図６に示した封筒に封入された封入物の取り出し方法を説明するための図であり、（ａ）は紙片部を切り離していく状態を示す図、（ｂ）は（ａ）に示したＡ―Ａ’断面図、（ｃ）は２つの紙片部を見開いた状態を示す図、（ｄ）は（ｃ）に示したＡ―Ａ’断面図、（ｅ）は封入された封入物及び宛先シートが取り出された状態を示す図、（ｆ）は（ｅ）に示したＡ―Ａ’断面図である。
【図９】図６に示した封筒の返信時の使用方法を説明するための図であり、（ａ）は封筒に封入物が封入される前の状態を示す図、（ｂ）は（ａ）に示したＡ―Ａ’断面図、（ｃ）は封筒に封入物が封入される状態を示す図、（ｄ）は（ｃ）に示したＡ―Ａ’断面図、（ｅ）は封入物が封入された封筒が封緘された状態を示す図、（ｆ）は（ｅ）に示したＡ―Ａ’断面図である。
【図１０】図６に示した封筒に返信時に封入された封入物の取り出し方法を説明するための図であり、（ａ）は封入物が封入された封筒を示す図、（ｂ）は封入された封入物が取り出される状態を示す図である。
【発明を実施するための形態】
【００１６】
以下に、本発明の実施の形態について図面を参照して説明する。
【００１７】
（第１の実施の形態）
図１は、本発明の封筒の第１の実施の形態を示す図であり、（ａ）は表面から見た図、（ｂ）は（ａ）に示したＡ―Ａ’断面図、（ｃ）は裏面から見た図、（ｄ）は（ａ）に示したＢ―Ｂ’断面図、（ｅ）は第２の紙片部２０の表面図、（ｆ）は第２の紙片部２０を除いた展開図である。
【００１８】
本形態は図１に示すように、第１の紙片部１０と第２の紙片部２０と第３の紙片部３０とが重ね合わされて構成されている。紙片部１０と紙片部３０とは、１つの辺にて連接しており、この辺を介して折り畳まれ、互いの連接辺に隣接する２辺に沿う領域が、紙片部１０のその２辺にそれぞれ連接した２つののり代部６０に塗布された粘着剤４２よって互いに貼着されている。そして、このように貼着された２枚の紙片部１０，３０間に紙片部２０が挟み込まれ、紙片部１０と紙片部２０とが、１つの辺を除く３辺に沿う領域において、紙片部１０に塗布された粘着剤４１によって互いに貼着されている。また、紙片部１０は、紙片部３０に連接する辺に対向する辺に第１の封用蓋片となるフラップ部５０が連接している。
【００１９】
第１の紙片部１０は、４辺に沿うように長方形の形状にミシン目１１が形成されており、さらにこのミシン目１１は、長方形の互いに隣接する２つの頂点から、紙片部１０の４つの角部のうちその頂点に近接する角部にそれぞれ延びている。そして、ミシン目１１の角部に延びた部分と長方形の一辺とに囲まれた領域が第２の封用蓋片となるフラップ部１２となっている。このフラップ部１２は、紙片部１０に連接したのり代部６０が紙片部３０に貼着されていることにより、紙片部３０に連接した状態となっている。これにより、フラップ部１２は、紙片部１０のフラップ部５０が連接した辺とは異なる辺に設けられていることになる。また、紙片部１０は、１つの辺を除く３辺に沿う領域にて粘着剤４１によって紙片部２０と貼着されているが、紙片部２０と貼着されていない辺にフラップ部１２が設けられており、フラップ部１２の紙片部２０と対向する面には再湿のり４４が塗布されている。また、ミシン目１１は、粘着剤４１によって紙片部２０と貼着された領域の内側に形成されている。また、ミシン目１１の長方形の形状に囲まれる領域には、この封筒の往信先の住所や氏名等からなる往信先情報１３が印刷されている。
【００２０】
第２の紙片部２０は、その表面にこの封筒を返信用に使用する場合の返信先の住所や氏名等からなる返信先情報２１と広告情報２２が印刷されている。
【００２１】
上記のように構成された封筒は、往信用及び返信用として使用される。往信用として使用する場合は、紙片部２０と紙片部３０との間を第１の封入部として封入物を封入し、フラップ部５０を紙片部１０に対して折り畳んで粘着剤４３によって紙片部３０に貼着し、また、返信用として使用する場合は、ミシン目１１を用いて紙片部１０をフラップ部１２を残して切り離して返信用情報２１を表出させ、紙片部２０と紙片部３０との間を第２の封入部として封入物を封入し、フラップ部１２をのり代部６０及び紙片部３０に対して折り畳み、フラップ部１２に塗布された再湿のり４４によって紙片部２０に貼着することになる。
【００２２】
以下に、上述した封筒の使用方法について具体的に説明する。
【００２３】
まず、往信時の使用方法について説明する。
【００２４】
図２は、図１に示した封筒の往信時の使用方法を説明するための図であり、（ａ）は封筒に封入物が封入される状態を示す図、（ｂ）は（ａ）に示したＡ―Ａ’断面図、（ｃ）は封入物が封入された封筒が封緘された状態を示す図、（ｄ）は（ｃ）に示したＡ―Ａ’断面図である。
【００２５】
図１に示した封筒を往信用として使用する場合は、図２（ａ），（ｂ）に示すように、フラップ部５０を開いた状態において、紙片部２０と紙片部３０との間を第１の封入部として封入物７１を封入する。この際、紙片部１０と紙片部２０とは、紙片部１０のフラップ部５０との連接辺に沿う領域において粘着剤４１によって互いに貼着されているため、封入物７１が紙片部１０と紙片部２０との間に封入されることはない。
【００２６】
そして、図２（ｃ），（ｄ）に示すように、フラップ部５０を紙片部１０に対して折り畳み、粘着剤４３によって紙片部３０に貼着する。
【００２７】
すなわち、本形態においては、フラップ部５０が紙片部１０に対して折り畳まれて紙片部３０に貼着されることによって第１の開封／封緘部が構成され、この第１の開封／封緘部を封入口として紙片部２０と紙片部３０との間に形成された第１の封入部に封入物７１を封入することになる。
【００２８】
このようにして封入物７１が封入された封筒は、紙片部１０に印刷された往信先情報１３に従って往信先に送付されていく。
【００２９】
次に、上記のようにして封筒に封入された封入物７１の取り出し方法について説明する。
【００３０】
図３は、図１に示した封筒に封入された封入物７１の取り出し方法を説明するための図であり、（ａ）は紙片部１０を切り離していく状態を示す図、（ｂ）は（ａ）に示したＡ―Ａ’断面図、（ｃ）は紙片部１０と紙片部２０とを見開いた状態を示す図、（ｄ）は（ｃ）に示したＡ―Ａ’断面図、（ｅ）は封入された封入物７１が取り出される状態を示す図、（ｆ）は（ｅ）に示したＡ―Ａ’断面図である。
【００３１】
上記のようにして封筒に封入された封入物７１を取り出す場合は、まず、図３（ａ），（ｂ）に示すように、ミシン目１１によって紙片部１０を切り離していく。この際、紙片部１０のミシン目１１よりも外側の領域は、粘着剤４１によって紙片部２０に貼着されたままの状態となる。
【００３２】
そして、紙片部１０と紙片部２０とを見開くと、図３（ｃ），（ｄ）に示すように、紙片部１０の裏面に印刷された広告情報１４が表出するとともに、紙片部２０の紙片部１０に対向する面に印刷された返信先情報２１及び広告情報２２が表出する。この際、紙片部１０に形成されたミシン目１１のうち、フラップ部１２の端辺の領域は切り離されていない。
【００３３】
紙片部１０と紙片部２０とが見開かれると、封入物７１が封入されていた紙片部２０と紙片部３０との間の第１の封入部が、フラップ部１２が紙片部３０に対して折り畳まれることによって構成されていた第２の開封／封緘部を開封口として開封され、図３（ｅ），（ｆ）に示すように、紙片部２０と紙片部３０との間に封入された封入物７１がこの開封口から取り出されることになる。
【００３４】
次に、上述した封筒の返信時の使用方法について説明する。
【００３５】
図４は、図１に示した封筒の返信時の使用方法を説明するための図であり、（ａ）は封筒に封入物が封入される前の状態を示す図、（ｂ）は（ａ）に示したＡ―Ａ’断面図、（ｃ）は封筒に封入物が封入される状態を示す図、（ｄ）は（ｃ）に示したＡ―Ａ’断面図、（ｅ）は封入物が封入された封筒が封緘された状態を示す図、（ｆ）は（ｅ）に示したＡ―Ａ’断面図である。
【００３６】
上記のようにして封入物７１が取り出された封筒を返信用として使用する場合は、まず、図４（ａ），（ｂ）に示すように、図３（ｂ）に示したような状態となった封筒から紙片部１０をフラップ部１２が残るようにミシン目１１によって切り離す。
【００３７】
そして、図４（ｃ），（ｄ）に示すように、フラップ部１２を開いた状態において、紙片部２０と紙片部３０との間を第２の封入部として封入物７２を封入する。
【００３８】
その後、図４（ｅ），（ｆ）に示すように、フラップ部１２を紙片部３０に対して折り畳み、フラップ部１２に塗布された再湿のり４４によって紙片部２０に貼着する。
【００３９】
すなわち、本形態においては、フラップ部１２が紙片部３０に対して折り畳まれて紙片部２０に貼着されることによって第２の開封／封緘部が構成され、この第２の開封／封緘部を封入口として紙片部２０と紙片部３０との間に形成された第２の封入部に封入物７２を封入することになる。
【００４０】
このようにして封入物７２が封入された封筒は、紙片部２０に印刷された返信先情報２１に従って返信先に送付されていく。
【００４１】
次に、上記のようにして封筒に封入された封入物７２の取り出し方法について説明する。
【００４２】
図５は、図１に示した封筒に返信時に封入された封入物７２の取り出し方法を説明するための図であり、（ａ）は封入物７２が封入された封筒を示す図、（ｂ）は封入された封入物７２が取り出される状態を示す図である。
【００４３】
上述したように、封筒の返信時には、紙片部２０と紙片部３０との間を第２の封入部として封入物７２が封入されており、図５（ａ）に示すように、フラップ部１２が紙片部２０に貼着されることによって封緘されている。
【００４４】
封入物７２を封筒から取り出す場合は、図５（ｂ）に示すように、例えば、フラップ部１２とのり代部６０との連接辺をペーパーナイフ等によって破断し、紙片部２０と紙片部３０との間に封入された封入物７２を取り出すことになる。
【００４５】
このように、本形態においては、３つの紙片部１０，２０，３０が重ね合わされて構成され、往信時に用いられるフラップ部５０と返信時に用いられるフラップ部１２とが、紙片部１０の互いに異なる辺に設けられ、紙片部１０が、紙片部２０の一部が表出するようにフラップ部１２を残して切り離し可能に構成されているため、往信先情報１３を紙片部１０に印刷しておき、往信時にはこの往信先情報１３によって往信先に送付し、また、返信先情報２１を紙片部２０のうち紙片部１０が切り離された場合に表出する領域に印刷しておき、返信時には、紙片部１０を切り離して表出した返信先情報２１によって返信先に送付することとなり、それにより、封筒を封緘するためのフラップ部の幅が広くなることによって処理効率を低下させることなく再度の使用が可能となる。
【００４６】
（第２の実施の形態）
図６は、本発明の封筒の第２の実施の形態を示す図であり、（ａ）は表面から見た図、（ｂ）は（ａ）に示したＡ―Ａ’断面図、（ｃ）は裏面から見た図、（ｄ）は（ａ）に示したＢ―Ｂ’断面図、（ｅ）は第２の紙片部１２０の表面図、（ｆ）は第２の紙片部１２０を除いた展開図である。
【００４７】
本形態は図６に示すように、第１の紙片部１１０と第２の紙片部１２０と第３の紙片部１３０とが重ね合わされて構成されている。紙片部１１０と紙片部１３０とは、１つの辺にて連接しており、この辺を介して折り畳まれ、互いの連接辺に隣接する２辺に沿う領域が、紙片部１１０のその２辺にそれぞれ連接した２つののり代部１６０に塗布された粘着剤１４２よって互いに貼着されている。そして、このように貼着された２枚の紙片部１１０，１３０間に紙片部１２０が挟み込まれ、紙片部１１０と紙片部１２０とが、紙片部１１０の紙片部１３０との連接辺とそれに隣接する２辺のうち一方の辺との２辺に沿う領域において、紙片部１１０に塗布された粘着剤１４１によって互いに貼着されている。また、紙片部１１０は、紙片部１３０に連接する辺に対向する辺に第１の封用蓋片となるフラップ部１５０が連接している。また、紙片部１１０と紙片部１２０との間には、宛先シート１８０が封入されている。
【００４８】
第１の紙片部１１０は、４辺に沿うようにミシン目１１１が形成されており、さらにこのミシン目１１１は、紙片部１１０のうち、粘着剤１４１が塗布されていない辺にフラップ部１１２が切り離し可能に形成されるように紙片部１１０の２つの角部から延びる領域を有している。このフラップ部１１２は、紙片部１１０に連接したのり代部１６０が紙片部１３０に貼着されていることにより、紙片部１３０に連接した状態となっている。これにより、フラップ部１１２は、紙片部１１０のフラップ部１５０が連接した辺とは異なる辺に設けられていることになる。また、フラップ部１１２の紙片部１２０と対向する面には再湿のり１４５が塗布されている。また、ミシン目１１１は、紙片部１１０の粘着剤１４１が塗布された辺においては、粘着剤１４１によって紙片部１２０と貼着された領域の内側に形成されている。また、ミシン目１１１によって囲まれる領域にはフィルム等からなる窓部１１３が設けられており、この窓部１１３から、宛先シート１８０に印刷された往信先情報１８１が視認可能となっている。
【００４９】
第２の紙片部１２０は、その表面にこの封筒を返信用に使用する場合の返信先の住所や氏名等からなる返信先情報１２１と広告情報１２２が印刷されている。
【００５０】
第３の紙片部１３０は、第１の紙片部１１０との連接辺と対向する辺に沿って粘着剤１４４が塗布されており、紙片部１２０と紙片１３０とが、紙片部１１０のフラップ部１５０との連接辺に重なる辺に沿う領域においてこの粘着剤１４４によって互いに貼着されている。
【００５１】
上記のように構成された封筒は、往信用及び返信用として使用される。往信用として使用する場合は、紙片部１１０と紙片部１２０との間を第１の封入部として封入物を封入し、フラップ部１５０を紙片部１１０に対して折り畳んで粘着剤１４３によって紙片部１３０に貼着し、また、往信用として使用する場合は、ミシン目１１１を用いて紙片部１１０をフラップ部１１２を残して切り離し、紙片部１１０と紙片部１２０との間に封入された封入物と宛先シート１８０とを取り出して返信用情報１２１を表出させ、紙片部１２０と紙片部１３０との間を第２の封入部として封入物を封入し、フラップ部１１２をのり代部１６０及び紙片部１３０に対して折り畳み、フラップ部１１２に塗布された再湿のり１４５によって紙片部１２０に貼着することになる。
【００５２】
以下に、上述した封筒の使用方法について具体的に説明する。
【００５３】
まず、往信時の使用方法について説明する。
【００５４】
図７は、図６に示した封筒の往信時の使用方法を説明するための図であり、（ａ）は封筒に封入物が封入される状態を示す図、（ｂ）は（ａ）に示したＡ―Ａ’断面図、（ｃ）は封入物が封入された封筒が封緘された状態を示す図、（ｄ）は（ｃ）に示したＡ―Ａ’断面図である。
【００５５】
図６に示した封筒を往信用として使用する場合は、図７（ａ），（ｂ）に示すように、フラップ部１５０を開いた状態において、紙片部１１０と紙片部１２０との間を第１の封入部として封入物１７１を封入する。この際、紙片部１１０と紙片部１２０との間には、往信先情報１８１が印刷された宛先シート１８０が封入されているため、この宛先シート１８０に印刷された往信先情報１８１が紙片部１１０の窓部１１３から視認不可能とならないように宛先シート１８０と紙片部１２０との間に封入物１７１を封入する。また、紙片部１２０と紙片部１３０とは、紙片部１１０のフラップ部１５０との連接辺に重なる辺に沿う領域において粘着剤１４４によって互いに貼着されているため、封入物１７１が紙片部１２０と紙片部１３０との間に封入されることはない。
【００５６】
そして、図７（ｃ），（ｄ）に示すように、フラップ部１５０を紙片部１１０に対して折り畳み、粘着剤１４３によって紙片部１３０に貼着する。
【００５７】
すなわち、本形態においては、フラップ部１５０が紙片部１１０に対して折り畳まれて紙片部１３０に貼着されることによって第１の開封／封緘部が構成され、この第１の開封／封緘部を封入口として紙片部１１０と紙片部１２０との間に形成された第１の封入部に封入物１７１を封入することになる。
【００５８】
このようにして封入物１７１が封入された封筒は、紙片部１１０の窓部１１３から表出した往信先情報１８１に従って往信先に送付されていく。
【００５９】
次に、上記のようにして封筒に封入された封入物１７１の取り出し方法について説明する。
【００６０】
図８は、図６に示した封筒に封入された封入物１７１の取り出し方法を説明するための図であり、（ａ）は紙片部１１０を切り離していく状態を示す図、（ｂ）は（ａ）に示したＡ―Ａ’断面図、（ｃ）は紙片部１１０と紙片部１２０とを見開いた状態を示す図、（ｄ）は（ｃ）に示したＡ―Ａ’断面図、（ｅ）は封入された封入物１７１及び宛先シート１８０が取り出された状態を示す図、（ｆ）は（ｅ）に示したＡ―Ａ’断面図である。
【００６１】
上記のようにして封筒に封入された封入物１７１を取り出す場合は、まず、図８（ａ），（ｂ）に示すように、ミシン目１１１によって紙片部１１０を切り離していく。この際、紙片部１１０のミシン目１１１よりも外側の領域は、粘着剤１４１によって紙片部１２０に貼着されたままの状態となり、また、フラップ部１５０においても、粘着剤１４３によって紙片部１３０に貼着されたままの状態となる。
【００６２】
そして、紙片部１１０と紙片部１２０とを見開くと、図８（ｃ），（ｄ）に示すように、紙片部１１０と紙片部１２０との間に封入された宛先シート１８０及び封入物１７１が取り出し可能な状態となる。この際、紙片部１１０に形成されたミシン目１１１のうち、フラップ部１１２の端辺の領域は切り離されていない。
【００６３】
紙片部１１０と紙片部１２０とが見開かれた後、紙片部１１０と紙片部１２０との間に封入された宛先シート１８０及び封入物１７１が取り出されると、図８（ｅ），（ｆ）に示すように、紙片部１２０の紙片部１１０に対向する面に印刷された返信先情報１２１及び広告情報１２２が表出する。
【００６４】
次に、上述した封筒の返信時の使用方法について説明する。
【００６５】
図９は、図６に示した封筒の返信時の使用方法を説明するための図であり、（ａ）は封筒に封入物が封入される前の状態を示す図、（ｂ）は（ａ）に示したＡ―Ａ’断面図、（ｃ）は封筒に封入物が封入される状態を示す図、（ｄ）は（ｃ）に示したＡ―Ａ’断面図、（ｅ）は封入物が封入された封筒が封緘された状態を示す図、（ｆ）は（ｅ）に示したＡ―Ａ’断面図である。
【００６６】
上記のようにして封入物１７１が取り出された封筒を返信用として使用する場合は、まず、図９（ａ），（ｂ）に示すように、図８（ｅ）に示したような状態となった封筒から紙片部１１０をフラップ部１１２が残るようにミシン目１１１によって切り離す。
【００６７】
そして、図９（ｃ），（ｄ）に示すように、フラップ部１１２を開いた状態において、紙片部１２０と紙片部１３０との間を第２の封入部として封入物１７２を封入する。
【００６８】
その後、図９（ｅ），（ｆ）に示すように、フラップ部１１２を紙片部１３０に対して折り畳み、フラップ部１１２に塗布された再湿のり１４４によって紙片部１２０に貼着する。
【００６９】
すなわち、本形態においては、フラップ部１１２が紙片部１３０に対して折り畳まれて紙片部１２０に貼着されることによって第２の開封／封緘部が構成され、この第２の開封／封緘部を封入口として紙片部１２０と紙片部１３０との間に形成された第２の封入部に封入物１７２を封入することになる。
【００７０】
このようにして封入物１７２が封入された封筒は、紙片部１２０に印刷された返信先情報１２１に従って返信先に送付されていく。
【００７１】
次に、上記のようにして封筒に封入された封入物１７２の取り出し方法について説明する。
【００７２】
図１０は、図６に示した封筒に返信時に封入された封入物１７２の取り出し方法を説明するための図であり、（ａ）は封入物１７２が封入された封筒を示す図、（ｂ）は封入された封入物１７２が取り出される状態を示す図である。
【００７３】
上述したように、封筒の返信時には、紙片部１２０と紙片部１３０との間を第２の封入部として封入物１７２が封入されており、図１０（ａ）に示すように、フラップ部１１２が紙片部１２０に貼着されることによって封緘されている。
【００７４】
封入物１７２を封筒から取り出す場合は、図１０（ｂ）に示すように、例えば、フラップ部１１２とのり代部１６０との連接辺をペーパーナイフ等によって破断し、紙片部１２０と紙片部１３０との間に封入された封入物１７２を取り出すことになる。
【００７５】
このように、本形態においては、３つの紙片部１１０，１２０，１３０が重ね合わされて構成され、往信時に用いられるフラップ部１５０と返信時に用いられるフラップ部１１２とが、紙片部１１０の互いに異なる辺に設けられ、紙片部１１０が、紙片部１２０の一部が表出するようにフラップ部１１２を残して切り離し可能に構成されているため、宛先シート１８０に印刷された往信先情報１８１を紙片部１１０の窓部１１３を介して表出させておき、往信時にはこの往信先情報１８１によって往信先に送付し、また、返信先情報１２１を紙片部１２０のうち紙片部１１０が切り離された場合に表出する領域に印刷しておき、返信時には、紙片部１１０を切り離して表出した返信先情報１２１によって返信先に送付することとなり、それにより、封筒を封緘するためのフラップ部の幅が広くなることによって処理効率を低下させることなく再度の使用が可能となる。
【００７６】
なお、本形態においては、紙片部１１０に窓部１１３を設けるとともに、往信時の封入物１７１が封入される第１の封入部となる紙片部１１０と紙片部１２０との間に、往信先情報１８１が印刷された宛先シート１８０を封入することにより、紙片部１１０を用いて往信先情報を表示しているが、本形態においても、第１の実施の形態に示したように、紙片部１１０に往信先情報を印刷する構成とすることも考えられる。
【００７７】
また、上述した２つの実施の形態においては、紙片部１０，１１０をミシン目１１，１１１によってフラップ部１２，１１２が残るように切り離し可能な構成としているが、ミシン目１１，１１１の形状は、紙片部１０，１１０を切り離した際に、紙片部２０，１２０に印刷された返信先情報２１，１２１が表出するように、紙片部２０，１２０の少なくとも一部が表出するようにフラップ部１２，１１２が残るようなものとすればよい。
【００７８】
また、重ね合わされた３つの紙片部１０，２０，３０，１１０，１２０，１３０の貼着方法は、上述したようにのり代部６０，１６０によって最表面となる２つの紙片部１０，１１０，３０，１３０が貼着された構成を用いるものに限らず、２つの紙片部２０，３０間、または３つの紙片部１１０，１２０，１３０間に、上述したような封入物７１，７２，１７１，１７２が封入可能な封入口が構成されるものであればよい。
【符号の説明】
【００７９】
１０，２０，３０，１１０，１２０，１３０    紙片部
１１，１１１    ミシン目
１２，５０，１１２，１５０    フラップ部
１３，１８１    往信先情報
１４，２２，１２２    広告情報
２１，１２１    返信先情報
４１〜４３，１４１〜１４４    粘着剤
４４，１４５    再湿のり
６０，１６０    のり代部
７１，７２，１７１，１７２    封入物
１１３    窓部
１８０    宛先シート
【図１】
2011063282.tif 000003
【図２】
2011063282.tif 000004
【図３】
2011063282.tif 000005
【図４】
2011063282.tif 000006
【図５】
2011063282.tif 000007
【図６】
2011063282.tif 000008
【図７】
2011063282.tif 000009
【図８】
2011063282.tif 000010
【図９】
2011063282.tif 000011
【図１０】
2011063282.tif 000012